(57)【特許請求の範囲】
【請求項１】
ボール部の周囲にエプロン部を備えた洗面器を洗面キャビネットの上部に取り付けるための構造であって、洗面キャビネットの上面部に短幅のリブが設けられて外面側に載置段部が形成され、前記洗面器におけるエプロン部の縁部に形成した垂下壁を上記載置段部に外装することにより洗面器が載置され、前記リブの外側面又は前記エプロン部の垂下壁の内側面のいずれか一方に変形可能な支持凸起が設けられていることを特徴とする洗面器の取付構造。
【請求項２】
ボール部の周囲にエプロン部を備えた洗面器を洗面キャビネットの上部に取り付けるための構造であって、洗面キャビネットにおける側板部の上面部に短幅のリブが設けられて外面側に載置段部が形成され、前記洗面器におけるエプロン部の縁部に形成した垂下壁を上記載置段部に外装することにより洗面器が載置され、前記洗面キャビネットにおける側板部の上面部に前記リブの省略領域又は切欠領域が形成され、前記洗面器における垂下壁の下端部適所に形成した幅広の係止片部を上記リブ省略領域又はリブ切欠領域に重合させたことを特徴とする洗面器の取付構造。
【請求項３】
前記洗面器における垂下壁の下端部に形成したいずれか一つの係止片部の前端面を、前記洗面キャビネットの側板部に形成したリブに当接させた請求項２に記載する洗面器の取付構造。
【請求項４】
前記洗面器の側方部位における垂下壁の内側面に高さ方向の全長にわたって支承リブが形成され、当該支承リブを、前記洗面キャビネットの側板部におけるリブ省略領域又はリブ切欠領域に重合させた請求項２又は３に記載する洗面器の取付構造。
【発明の詳細な説明】
【０００１】
【発明の属する技術分野】
本発明は、洗面キャビネットの上部に洗面器を載設してなる洗面化粧台における洗面器の取付構造に関し、詳しくは、洗面器のがたつきを抑え、正確な位置決めを容易に行えるようにし、さらに構造安定性を高めることを目的とする。
【０００２】
【従来の技術】
洗面キャビネットの上部に洗面器を載設して成る洗面化粧台が周知である。かかる洗面化粧台は、洗面キャビネット部分が木質の板材や枠材等の素材で製作され、洗面器部分が陶器，せっ器等のセラミックによって製作され、両者を製造工場で組み立てて出荷するというのが一般的な態様であった。このため上記洗面化粧台は、製造工場で組み立てられた嵩高い状態で現地へ搬送されるため、製造コスト及び搬送コストが高くなる傾向がある。
【０００３】
そこで本発明者らは、洗面キャビネットを合成樹脂製の部品として出荷・輸送し、施工現場で組立作業を行って洗面化粧台を施工するという方式を提案した。図１０にかかる洗面化粧台Ｘ、図１１乃至図１９に洗面キャビネット１の構成部材を例示する。各構成部材はいずれも合成樹脂で製作され、洗面器３０の重量及び使用時の荷重を支持できる強度を備えると共に、合成樹脂材料の節減を図るため内側に中空部を形成した中空パネルとされている。また、合成樹脂の種類は共通化され、再利用が容易なようになされている。
【０００４】
図１０は、洗面キャビネット１の上に洗面器３０を載設して成る洗面化粧台Ｘの一例を示すものであり、図（Ａ）は正面図、図（Ｂ）は右側面図である。
図１１は、背板部１０の左右両側に側板部１１，１２を折り曲げ可能に連設して構成したパネル構成体２を示すものであって、図（Ａ）は平面状に広げた状態の正面図、図（Ｂ）は同状態の平面図、図（Ｃ）は同状態の左側面図である。
図１２は、上記パネル構成体２の背面図であり、図１３は、上記パネル構成体２の中間部分を省略して、左右両端部分を拡大して示す平面図である。
図１４は、底板部３を示すものであって、図（Ａ）は底面図、図（Ｂ）は部分断面した背面図である。
図１５は、幅木板部４を示すものであって、図（Ａ）は正面図、図（Ｂ）は右側面図、図（Ｃ）は部分断面した平面図である。
図１６は、幕板部５を示すものであって、図（Ａ）は一部を断面した正面図、図（Ｂ）は平面図、図（Ｃ）は背面図である。
図１７は、右側の扉構成体７を示すものであって、図（Ａ）は部分断面した正面図、図（Ｂ）は平面図である。
図１８は、寄せ蟻継手１４を示すものであって、図（Ａ）は逃げ穴１５ａ及び蟻穴１５ｂを示す正面図、図（Ｂ）は蟻ほぞ１６を示す正面図、図（Ｃ）は逃げ穴１５ａ及び蟻穴１５ｂに蟻ほぞ１６を差し込む前の状態の側面図、図（Ｄ）は逃げ穴１５ａ及び蟻穴１５ｂに蟻ほぞ１６を差し込んだ状態の側面図である。
図１９は、ヒンジ具８，９を示すものであって、図（Ａ）は上方のヒンジ具８の正面図、図（Ｂ）は上方のヒンジ具８の平面図、図（Ｃ）は下方のヒンジ具９の正面図、図（Ｄ）は下方のヒンジ具９の平面図である。
【０００５】
前記洗面化粧台Ｘの洗面キャビネット１は、背板と側板とを構成するパネル構成体２、底板部３、正面下方に設けられる幅木板部４、正面上方に設けられる幕板部５、底板部３と幕板部５との間において正面中央部に設けられる左右の扉構成体６，７を組み合わせてなる。
【０００６】
扉構成体６，７は、左右の側板部１１，１２それぞれの端縁部に取着した上下一組のヒンジ具８，９（図１９参照）により枢支される。洗面器３０は、組み立てた洗面キャビネット１の幕板部５、背板部１０、左右の側板部１１，１２それぞれの上面部で支持されると共に、その底面側の一部が上面開口からキャビネット内へ挿入されるようなされている。
【０００７】
パネル構成体２（図１１及び図１２参照）は、背板部１０の左右両端に側板部１１，１２を折曲げ可能に連設して一体化したものであって、各部分はいずれも内側に中空部を備え、合成樹脂素材より形成されている。背板部１０と左右の側板部１１，１２との連結箇所には、天地方向に延びるほぼ９０°のＶ字状の凹溝２ａ，２ａが形成されており、該凹溝２ａの隅部箇所２ａ−１を同じ合成樹脂素材の可撓性のもので形成することにより、左右の側板部１１，１２を手前側へ直角に折り曲げることができるようなされている。図１１（Ａ）の正面図に示す如く、パネル構成体２の正面下方寄りには、横方向の全長にわたって直線状に延びる横凹溝２ｂが設けられており、後述する底板部３ａの三辺の縁部を挿着できるようになされている。左右の側板部１１，１２の横凹溝２ｂ内には、後述する寄せ蟻継手１４（図１１参照）の一方側を構成する逃げ穴１５ａ及び蟻穴１５ｂからなる穴１５が設けられている。背板部１０の横凹溝２ｂ内には、係止用の凹部２ｆが形成されている。パネル構成体２の左右側端部２ｇ，２ｇそれぞれには、寄せ蟻継手１４のもう一方側を構成する蟻ほぞ１６と、ヒンジ具連結用のブラケット１７，１７とが設けられている。
【０００８】
底板部３は、図１４に示す如く、表層３ｂを合成樹脂素材で成形すると共に内側に中空部３ｃを形成したものであって、左右の外側面３ａ，３ａそれぞれの所定箇所に、寄せ蟻継手１４を構成する蟻ほぞ１６，１６が設けられ、背面側の外側面３ｆに係止用の凸部３ｇ，３ｇが突設されている。下面の手前側には、横方向に延びる凹溝３ｄが凹設され、該凹溝３ｄ内に寄せ蟻継手用の穴１５を構成する逃げ穴１５ａ及び蟻穴１５ｂが二組設けられている。また適所に排水管用の貫通孔３ｅを設けてある。底板部３の奥行き寸法は、前記左右の側板部１１，１２の奥行き寸法より大きく設定されており、洗面キャビネット１を組み立てたときに、底板部３の手前側が両側板部１１，１２より突出して、蹴込み部が形成されるよう設定されている。
【０００９】
幅木板部４は、図１５に示す如く、合成樹脂素材で成形した表層４ｂの内側に中空部４ｃを形成したものであり、上端面に前記底板部３下面の凹溝３ｄへ嵌合し得る凸部４ｄが形成されると共に、該凸部４ｄ上の所定箇所に寄せ蟻継手１４を構成する蟻ほぞ１６が設けられている。当該幅木板部４の幅寸法は、底板部３の幅寸法とほぼ同一に設定されている。
【００１０】
幕板部５は、図１６に示す如く、主体部の表層５ｂを合成樹脂素材で成形すると共にその内側に中空部５ｃを形成したものであり、背面両側の所定箇所に、前記左右側板部１１，１２の蟻ほぞ１６と接合して寄せ蟻継手１４を構成する逃げ穴１５ａ及び蟻穴１５ｂからなる穴１５が二組設けられている。当該幕板部５の幅寸法は、組み立てた洗面キャビネット１の左右幅寸法と同一寸法となるように設定されている。
【００１１】
図１７は、扉構成体６，７のうちの右側の構成体７を示すものである。図示する扉構成体７は、表層７ｂを合成樹脂素材で成形すると共に内側に中空部７ｃを設けたものとしてあるが、中空部７ｃを形成することなく中実の板状に成形される場合もある。同扉構成体７の正面側には把手７ｄが形成され、上下端面それぞれの右端付近にヒンジ用孔７ｅが設けられると共に、左端付近にはストッパー用凸部７ｆ，７ｆが設けられている。なお左側の扉構成体６（図１０参照）は、右側の扉構成体７と左右対称の形状なので、ここでの説明は省略する。
【００１２】
前記各構成部材どうしの接合に用いる前記寄せ蟻継手１４について説明する。図１８に示す如く、寄せ蟻継ぎ手１４は、逃げ穴１５ａ及び該逃げ穴１５ａより間口が狭く形成された蟻穴１５ｂから成る穴１５と、この穴１５内へ嵌装される蟻ほぞ１６とから構成される。当該蟻ほぞ１６は、逃げ穴１５ａ内へ挿入したのち蟻穴１５ｂへ向かってスライドさせることで、蟻穴１５ｂから容易には脱落することのない状態に嵌合させることができ、これによって所望の二つの部材を接合することが可能である。なお寄せ蟻継手１４を構成する穴１５及び蟻ほぞ１６の形成対象は、場合によって、図示の例とは反対とすることも可能である。
【００１３】
前記左右の扉構成体６，７の上下を枢支するヒンジ具８，９は、図１９に示す如く、本体１８とピン１９又は２０とからなる。ヒンジ具本体１８は、前記側板部１１，１２の端縁部に設けたブラケット１７に嵌着される挟持片部１８ａと、挟持片部１８ａから片持ち状に張り出し形成したピン受部１８ｂとを備え、該ピン受部１８ｂに縦貫通孔１８ｃが形成されている。扉構成体６，７の上端面側を支持するヒンジ具８のピン１９は、上端の鍔部１９ａとピン部１９ｂとを備え、縦貫通孔１８ｃに貫挿したときに該ピン部１９ｂの先端がピン受け部１８ｂの下端から突出するよう、比較的長寸に製作される。他方、扉構成体６，７の下端面を支持するヒンジ具９のピン２０は、中間の鍔部２０ａと、該鍔部２０ａの上下に突設されたピン部２０ｂ，２０ｃとを備え、比較的短寸に製作されたものであって、下側のピン部２０ｂがピン受け部１８ｂの縦貫通孔１８ｃ内へ嵌装されている。
【００１４】
続いて、前記構成部材からなる洗面キャビネット１の組立て手順を説明する。組み立てに先立ち、底板部３の下面側に、寄せ蟻継手１４を用いて幅木板部４をあらかじめ接合しておく。すなわち、底板部３下面側の凹溝３ｄ内へ幅木板部４の凸部４ｄを挿入し、一方に設けた逃げ穴１５ａに他方の蟻ほぞ１６を挿入した後、幅木板部４を凹溝３ｄに沿ってスライド移動させて蟻穴１５ｂに蟻ほぞ１６を容易には抜けない状態に嵌合させる。これにより、幅機構成体４が底板部３に装着される。
【００１５】
次に、図１１に示す平面状態のパネル構成体２の左右側板部１１，１２を、図２０に示すように手前側へ来るよう折曲げて自立可能な立体形状とすると共に、側板部１１，１２に若干突出するよう形成された支持部２ｃ，２ｃ上に、底板部３の左右奥隅部３ｈ，３ｈを載置する。しかるのち、底板部３の前後位置を調整しながら、左右両側の側板部１１，１２を接近させ、側板部１１，１２の４つの逃げ穴１５ａそれぞれに、対応する底板部３の４つの蟻ほぞ１６を挿入させる。挿入終了後、底板部３を背板部１０へ向かって押し込み、側板部１１，１２の各蟻穴１５ｂに各蟻ほぞ１６をスライド嵌合させて容易には抜けない状態に装着すると同時に、背板部１０の係止用凹部２ｆ内に底板部３の係止用凸部３ｇを嵌合させる。これにより、パネル構成体２と底板部３とが、四組の寄せ蟻継手１４により接合され一体化する。
【００１６】
次いで、平面コ字状となった左右の側板部１１，１２の手前側上方に、幕板部５を接合する。この接合は、側板部１１，１２と幕板部５との間に設けられている二組の寄せ蟻継手１４を用いて行われる。すなわち、幕幾構成体５の背面側に形成した逃げ穴１５ａに、側板部１１，１２の蟻ほぞ１６を嵌入させた後、幕板部５を下方へ移動させて各蟻穴１５ｂに蟻ほぞ１６をスライド嵌合させることにより、蟻穴１５ｂから蟻ほぞ１６が容易には抜けない状態に装着される。
【００１７】
最後に、左右の側板部１１，１２の端面部にヒンジ具８，９を用いて、左右の扉構成体６，７を取り付ける。これは、左右両側の側板部１１，１２の各側端面に設けた上下一組のブラケット１７，１７それぞれに、上下一組のヒンジ具８，９を嵌着し、下方のヒンジ具９，９に短寸のピン２０を挿着したのち、左右の扉構成体６，７の下端面のヒンジ用孔７ｅに、上記下側のピン２０を挿入させるように配置し、続けて扉構成体６，７それぞれの上端面のヒンジ用孔７ｅに、上方のヒンジ具１０，１０に貫挿した長寸のピン１９の先端を挿入することによりなされる。
【００１８】
このようにして洗面キャビネット１を組み立てたのち、その上部に洗面器３０を載設することにより、目的とする洗面化粧台Ｘを完成させることができる。洗面キャビネット１の全体をほぼ合成樹脂製とすることにより、一人でも簡単に組み立てることが可能となる、作業時間の短縮化を図ることができる。
【００１９】
【発明が解決しようとする課題】
洗面キャビネット１の上部に載設される洗面器３０は、ボール部の周囲にエプロン部が形成されて成り、図２１に示す如く、エプロン部の縁部に形成した垂下壁３１の下端面３１ｂを洗面キャビネット１の上面部１ｓに重合させることにより、洗面器３０を支持する構造になされている。しかるに、洗面器３０と洗面キャビネット１との間の寸法誤差により、しばしば両者の間でがたつきが生ずることがあるという問題が有った。
【００２０】
また洗面化粧台Ｘは、美観上の要請から、垂下壁３１の外側面３１ａをキャビネット１の外側面１ｔよりわずかに突出させるように設定して、両側面３１ａ，１ｔ間にちり（散り）Ｈと呼ばれる寸法差を設けることが一般に行われている。このため、洗面器３０の垂下壁３１が洗面キャビネット１の上面部１ｓに重合する領域の幅寸法Ｇは、非常に狭いものに限定される。例えば、垂下壁３１の厚み寸法Ｄが６ｍｍであり、ちり寸法Ｈが３ｍｍに設定されると、前記重合幅Ｇは約３ｍｍである。しかるに、洗面器３０とキャビネット１との間に寸法誤差が有る場合は、同図（Ｂ）に示す如く、重合幅Ｇがわずか１ｍｍ程度となる可能性もある。さらに、洗面キャビネット１の上端縁に面取を施して湾曲面に形成した場合は、洗面器３０の垂下壁３１の実質的な重合幅Ｇが一層狭くなる可能性もある。洗面器３０自体の重量及び使用中に洗面器３０に加わる荷重は、洗面器３０の垂下壁３１が洗面キャビネット１の上面部１ｓに重合する部分で支持するから、重合幅Ｇが狭くなると、それだけ洗面化粧台Ｘの構造安定性を低下させるおそれがある。
【００２１】
【課題を解決するための手段】
本発明は、洗面化粧台において、洗面キャビネットに対し洗面器をがたつきなく取り付けることができ、洗面器の位置決めを容易に行え、洗面器の安定な支持構造が得られる取付手段の提供を目的とする。本発明がかかる目的のため採用した取付構造の特徴とするところは、洗面キャビネットの上面部に短幅のリブを設けて外面側に載置段部を形成し、前記洗面器におけるエプロン部の縁部に形成した垂下壁を上記載置段部に外装することにより洗面器を載置し、前記リブの外側面又は前記エプロン部の垂下壁の内側面のいずれか一方に変形可能な支持凸起を設けたことにある。かかる構成により、洗面器の垂下壁の内側面とリブの外側面との間に寸法誤差に基づく隙間が生じたとしても、支持凸起の接触によって、洗面器のがたつきを抑えることができる。また支持凸起は変形可能であるから、寸法誤差が小さくて隙間が狭いときでも、洗面器の垂下壁を確実に洗面キャビネットの載置段部に外装することが可能である。
【００２２】
また本発明が、洗面器の取付構造を安定化させるために採用した手段の特徴とするところは、洗面キャビネットの上面部に短幅のリブを設けて外面側に載置段部を形成し、前記洗面器におけるエプロン部の縁部に形成した垂下壁を上記載置段部に外装することにより洗面器を載置し、前記洗面キャビネット上面部に前記リブの省略領域又は切欠領域を形成し、前記洗面器における垂下壁の下端部適所に形成した幅広の係止片部を上記リブ省略領域又はリブ切欠領域に重合させたことにある。かかる構成により、洗面器における幅広の係止片部を洗面キャビネットに重合させるから荷重の支持面積が大きくなり、よって耐荷重強度に優れた洗面器の取付構造が得られる。
【００２３】
前記取付構造において、前記洗面器の垂下壁下端部に形成したいずれか一つの係止片部の前端面を、前記洗面キャビネットの側板部に形成したリブに当接させる構造を採用することができる。かかる構成により、洗面器の位置決めが容易になる。
【００２４】
さらに、前記洗面器の側方部位における垂下壁の内側面に高さ方向の全長にわたって支承リブを形成し、当該支承リブを、前記洗面キャビネットの側板部におけるリブ省略領域又はリブ切欠領域に重合させる構成も可能である。かかる構成を採用することにより、洗面器の耐荷重強度を向上させることができる。
【００２５】
【発明の実施の形態】
本発明の一実施形態を図面を用いて説明する。なお、前記従来例を示す図面において用いたのと同じ符号は、共通又は類似の部材を示している。図１は本発明の実施に用いる洗面キャビネット１及び洗面器３０それぞれの要部の構造を示す斜視図、図２は本発明の実施に用いる洗面キャビネット１の平面図、図３は本発明の実施に用いる洗面器３０の底面図である。
【００２６】
これらの図面に示す如く、本実施形態の特色とするところは、洗面キャビネット１の側板部１１については、その上端部に、若干幅の狭いリブ４０を設けてその外面側に載置段部Ｅを形成したこと、当該リブ４０における外側面の適所に変形可能な支持凸起４１を形成したこと、当該リブ４０における中間部の外側面に切欠領域４２を形成したこと、当該リブ４０の前後にリブ省略領域４４，４４を形成したこと、当該リブ４０の後端部は当接段部４３としたこと、さらに、上記リブ省略領域４４において側板部１１の内面側に、後述する保持部材６０（図６〜図９参照）を着脱可能に嵌着させるための嵌合凹部４５，４５を形成したことにある。また、洗面キャビネット１の正面上部を構成する幕板部５については、その上端部に、若干幅の狭いリブ５０を設けてその外面側に載置段部Ｆを形成すると共に、当該リブ５０における外側面の中央部に変形可能な支持凸起５１を形成した。
【００２７】
他方、洗面器３０については、その側方部位のエプロン部３２に形成した垂下壁３１の下端部の前後端寄りに係止片部３４，３６を形成し、上記垂下壁３１の内側面の中間位置に高さ方向の全長にわたる支承リブ３５を形成した。
【００２８】
前記の如く構成された洗面キャビネット１に洗面器３０を取り付けるには、洗面器３０の垂下壁３１，３３を、図４に示す如く、洗面キャビネット１の上端部に形成された載置段部Ｅ，Ｆに外装する。このとき、側板部１１のリブ４０に形成した支持凸起４１，４１を、洗面器３０の側方部位の垂下壁３１の内側面に当接させる。また図５に示すように、洗面器３０の正面部位の下面３０ａを、幕板部５に設けたリブ５０の上端面５０ａに当接させると共に、当該リブ５０に形成した支持凸起５１を、洗面器３０の正面部位における垂下壁３３の内側面に当接させる。そして、側方部位の垂下壁３１に形成した係止片部３４，３６を側板部１１のリブ省略領域４４，４４上に重合させ、当該垂下壁３１の中間部に形成した支承リブ３５を、側板部１１のリブ４０における中間部位に形成した切欠領域４２に重合させる。さらに垂下壁３１の後方側の係止片部３６の前端面を、リブ４０の後端部に形成した当接段部４３に当接させる。
【００２９】
しかるのち、図６に示す如く、側板部１１の嵌合凹部４５に保持部材６０を嵌着して、洗面器３０の係止片部３４，３６を押さえ込み、洗面器３０が洗面キャビネット１から分離するのを防止する。嵌合凹部４５は、図７に示すように、上端が開口する主凹部４５ａ、該主凹部４５ａの適所に幅寸法を拡張するよう部分的に形成された副凹部４５ｂとから成る。本例では、副凹部４５ｂの内周面がほぼ円筒面状に形成し、その入口部に、隆起部４５ｃを形成して幅が若干狭くなしてある。
【００３０】
一方、保持部材６０は、図８に示す如く、上記嵌合凹部４５の主凹部４５ａに嵌装される主部６１、副凹部４５ｂに嵌着される円筒状の枝部６２、平板状に形成され洗面器３０の係止片部３６の上面を押さえる頭部６３、及び、主部６１の下端から前方へ斜めに突出するよう形成された尾部６４より成っている。
【００３１】
図９（Ａ）に示すように、洗面器３０の係止片部３４（３６）を、洗面キャビネット１の側板部１１におけるリブ省略領域４４に重合させたのち、同図（Ｂ）のように保持部材６０の頭部６３を係止片部３４（３６）の上面に重ね合わせ、枝部６２を嵌合凹部４５の副凹部４５ｂ内へ無理嵌め状に押し込む。これにより保持部材６０が嵌合凹部４５へ容易には脱落しないように嵌着され、その結果、洗面器３０の係止片部３４（３６）が洗面キャビネット１の側板部１１上面に固定される。なお、修理，交換等のため洗面器３０を洗面キャビネット１から分離したいときには、嵌合凹部４５から突出している保持部材６０の尾部６４を引っ張り出すことにより、保持部材６０を容易に取り外すことが可能である。
【００３２】
かかる取付構造により、洗面器３０の載設が容易なように、その内法寸法が洗面キャビネット１よりも若干大きめに製作された場合でも、両者の間でがたつきが生ずるのが防止される。すなわち、洗面器３０の側方部位における垂下壁３１の内側面が、側板部１１のリブ４０に形成した支持凸起４１と当接することにより、洗面器３０の左右方向のがたつきが防止される。また正面部位の垂下壁３３の内側面が幕板部５のリブ５０に形成した支持凸起５１と当接すると共に、側方部位の垂下壁３１における後方側の係止片部３６の前端を側板部１１のリブ４０後端の当接段部４３と当接させることにより、洗面器３０の前後方向のがたつきが防止される。なお、支持凸起４１，５１は変形可能に製作されているので、寸法誤差のため、洗面器３０と洗面キャビネット１との間の隙間が狭くなった場合でも、支持凸起４１，５１を強制的に変形させることにより、洗面器３０の取り付けを確実に行うことができる。この場合、支持凸起４１，５１の変形は、材質によるが、塑性変形，弾性変形のいずれであってもよい。
【００３３】
前記取付構造は、洗面器３０の自重及び使用時に加わる荷重を、垂下壁３１，３３の下端面のみならず、側方部位においては、垂下壁３１の下端に設けた係止片部３４，３６、及び、垂下壁３１の内側面に形成した支承リブ３６を、洗面キャビネット側板部１１の上面部に重合させることによって支持する。また正面部位においては、幕板部５におけるリブ５０の上端面５０ａで洗面器下面３０ａを支持する構造を採用している。従って、洗面器３０に加わる荷重の支持面積が従来より拡張されているので、耐荷重強度が大きく、構造安定性に優れている。
【００３４】
ところで、本発明の実施形態は前述したものに限定されない。例えば、洗面キャビネット１上端部のリブ４０，５０に形成する支持凸起４１，５１の個数は、洗面器３０の寸法等に応じ、適宜増減することが可能である。また洗面器３０を合成樹脂で製作した場合は、支持凸起を洗面器３０の垂下壁３１，３３の内側面に形成してもよい。図示する例では、洗面器３０の側方部位における垂下壁３１の内側面に支承リブ３５を一個だけ形成したが、これを複数個形成することも妨げない。反対に、洗面器３０の強度が十分であるならば、支承リブ３５を省略することも可能である。さらに、洗面器３０を洗面キャビネット１に固定する保持部材６０の形態は、適当に変更してもよい。なお洗面器３０は、合成樹脂製でもよく、従来のセラミック製でもよい。その他、本発明は、実施の状況に応じた変更を妨げない。
【００３５】
【発明の効果】
本発明に係る洗面器の取付構造によれば、洗面キャビネットの上端部に設けたリブと洗面器の垂下壁とのいずれか一方に変形可能な支持凸起を設けたので、両者の間に隙間が有ったとしても支持凸起が垂下壁又はリブに当接するから、洗面器の洗面キャビネットに対するがたつきをなくすことができる。また支持凸起は変形可能であるから、洗面器に多少の寸法誤差が生じた場合でも、洗面キャビネットへ確実に取り付けることが可能である。洗面キャビネット側板部のリブに当接段部を設け、垂下壁の係止片部の前端面をこれに当接させた場合は、洗面器の位置決めが容易になる。
【００３６】
さらに本発明は、洗面器における垂下壁の下端部に幅広の係止片部を設け、これを洗面キャビネットの上面部に重合させて荷重の支持面積を拡大したので、耐荷重強度が増大し、構造安定性に優れる。かかる効果は、洗面器の垂下壁の内側面に支承リブを設け、これを洗面キャビネットの上端部に重合させる構成を採用することにより、一層向上する。
【図面の簡単な説明】
【図１】本発明の一実施形態に係るものであって、洗面器及び洗面キャビネットの要部を示す斜視図である。
【図２】本発明の実施に利用する洗面キャビネットの一例を示す平面図である。
【図３】本発明の実施に利用する洗面器の一例を示す底面図である。
【図４】本発明の一実施形態に係るものであって、図（Ａ）は洗面器を洗面キャビネットの上面部に外装した状態の側方部位の平面断面図、図（Ｂ）は同状態における側面断面図である。
【図５】本発明の一実施形態に係るものであって、洗面器を洗面キャビネットの上面部に外装した状態の正面部位を拡大して示す側面断面図である。
【図６】本発明の一実施形態に係るものであって、図（Ａ）は洗面器を洗面キャビネットの上面部に外装したのち保持部材で固定した状態の側方部位の平面断面図、図（Ｂ）は同状態における側面断面図である。
【図７】本発明の一実施形態に係るものであって、洗面器の垂下壁に形成した係止片部、洗面キャビネットの内面側に形成した嵌合凹部、及び、保持部材を示す分解斜視図である。
【図８】本発明の実施に用いる保持部材の一例を示すものであり、図（Ａ）は正面図、図（Ｂ）は側面図、図（Ｃ）は平面図である。
【図９】保持部材を用いて洗面器の係止片部を洗面キャビネットの上面部に固定する要領を説明するための図面であって、図（Ａ）は保持部材の嵌着前の状態を示す側面断面図、図（Ｂ）は保持部材を嵌着した状態を示す側面断面図である。
【図１０】従来の洗面化粧台の一例を示すものであって、図（Ａ）は正面図、図（Ｂ）は側面図である。
【図１１】背板部の左右両側に側板部を連設して製作した従来の洗面キャビネット用のパネル構成体の一例を示すものであって、図（Ａ）は平面状に広げた状態の正面図、図（Ｂ）は同状態の平面図、図（Ｃ）は同状態の側面図である。
【図１２】図１１に示すパネル構成体の背面図である。
【図１３】図１１に示すパネル構成体の中間を省略し、左右両端部を拡大して示す部分断面した平面図である。
【図１４】図１０に示す洗面化粧台の構築に使用する底板部を示すものであって、図（Ａ）は底面図、図（Ｂ）は部分断面した背面図である。
【図１５】図１０に示す洗面化粧台の構築に使用する幅木板部を示すものであって、図（Ａ）は正面図、図（Ｂ）は側面図、図（Ｃ）は一部断面した平面図である
【図１６】図１０に示す洗面化粧台の構築に使用する幕板部を示すものであって、図（Ａ）は部分断面した正面図、図（Ｂ）は平面図、図（Ｃ）は背面図である。
【図１７】図１０に示す洗面化粧台の構築に使用する右側の扉構成体を示すものであって、図（Ａ）は部分断面した正面図、図（Ｂ）は平面図である。
【図１８】図１０に示す洗面化粧台の構築に利用する寄せ蟻継手の構造を示すものであって、図（Ａ）は逃げ穴及び蟻穴を示す正面図、図（Ｂ）は蟻ほぞを示す正面図、図（Ｃ）は逃げ穴及び蟻穴に蟻ほぞを差し込む前の状態を示す側面断面図、図（Ｄ）は逃げ穴及び蟻穴に蟻ほぞを差し込んだ状態を示す側面断面図である。
【図１９】図１０に示す洗面化粧台の構築に利用するヒンジ具の一例を示すものであって、図（Ａ）は上方のヒンジ具の正面図、図（Ｂ）は上方のヒンジ具の平面図、図（Ｃ）は下方のヒンジ具の正面図、図（Ｄ）は下方のヒンジ具の平面図である。
【図２０】図１０に示す洗面化粧台の洗面キャビネットの組み立て途中の状態を示す平面図である。
【図２１】従来の洗面器の取付構造の欠点を説明するものであって、図（Ａ）洗面キャビネットの上端部に洗面器の垂下壁を重合させた普通の状態を示す断面図、図（Ｂ）は問題が生じ得る状態を示す断面図である。
【符号の説明】
１  …洗面キャビネット  ２…パネル構成体    ３…底板部    ４…幅木板部    ５…幕板部    ６，７…扉構成体  ８，９…ヒンジ具  １０…背板部      １１，１２…側板部  １４…寄せ蟻継手  １５…穴  １５ａ…逃げ穴  １５ｂ…蟻穴  １６…蟻ほぞ  １７…ブラケット  １８…ヒンジ具の本体  １８ａ…挟持片部  １８ｂ…ピン受部  １８ｃ…縦貫通孔  １９…ピン（上）  ２０…ピン（下）  ３０…洗面器  ３０ａ…洗面器の下面  ３１…垂下壁（側方部位）  ３２…エプロン部  ３３…垂下壁（正面部位）  ３４…係止片部  ３５…支承リブ    ３６…係止片部  ４０…リブ  ４１…支持凸起  ４２…切欠領域  ４３…当接段部  ４４…省略領域  ４５…嵌合凹部  ４５ａ…主凹部  ４５ｂ…副凹部  ４５ｃ…隆起部  ５０…リブ  ５０ａ…リブの上端面  ５１…支持凸起  ６０…保持部材  ６１…主部  ６２…枝部  ６３…頭部  ６４…尾部  Ｘ…洗面化粧台
【図１】
0003593629.tif 000002
【図２】
0003593629.tif 000003
【図３】
0003593629.tif 000004
【図４】
0003593629.tif 000005
【図５】
0003593629.tif 000006
【図６】
0003593629.tif 000007
【図７】
0003593629.tif 000008
【図８】
0003593629.tif 000009
【図９】
0003593629.tif 000010
【図１０】
0003593629.tif 000011
【図１１】
0003593629.tif 000012
【図１２】
0003593629.tif 000013
【図１３】
0003593629.tif 000014
【図１４】
0003593629.tif 000015
【図１５】
0003593629.tif 000016
【図１６】
0003593629.tif 000017
【図１７】
0003593629.tif 000018
【図１８】
0003593629.tif 000019
【図１９】
0003593629.tif 000020
【図２０】
0003593629.tif 000021
【図２１】
0003593629.tif 000022